(57)【要約】本発明の原理に従って、細胞分析結果のデータを表示するための方法、システム、およびコンピュータ可読媒体が提供される。本方法は、細胞分析結果のデータにアクセスするステップと、少なくとも１つのテンプレートのデータにアクセスするステップと、細胞分析結果のデータと少なくとも１つのテンプレートのデータとを重ねることによって、細胞分析結果のデータと少なくとも１つのテンプレートのデータとを表示するステップとを含み、細胞分析結果のデータは、表示される少なくとも１つのテンプレートのデータと異なる表示属性を使用して表示される。
2009534663.tif 000002
【特許請求の範囲】
【請求項１】
細胞分析結果のデータを表示する方法であって、
細胞分析結果のデータにアクセスするステップと、
少なくとも１つのテンプレートのデータにアクセスするステップと、
該細胞分析結果のデータと該少なくとも１つのテンプレートの該データとを重ねることによって、該細胞分析結果のデータと少なくとも１つのテンプレートの該データとを表示する、ステップであって、該細胞分析結果のデータは、該少なくとも１つのテンプレートの表示されるデータと異なる表示属性を使用して表示される、ステップと、
を包含する、方法。
【請求項２】
前記表示属性は、色、質感、明るさ、平滑度、および透明度のうちの少なくとも１つである、請求項１に記載の方法。
【請求項３】
前記表示されるデータは、一次元ヒストグラム、二次元ヒストグラム、三次元ヒストグラム、一次元散布図、二次元散布図、三次元散布図、および二次元振幅分布の三次元曲面画像のうちの１つの形式で示される、請求項１に記載の方法。
【請求項４】
前記少なくとも１つのテンプレートの前記データは、正常試料、複数の正常試料の平均、異常試料、および人口統計に基づく試料のうちの１つを表す、請求項１に記載の方法。
【請求項５】
前記異常試料は、該異常試料の前記データが表示されるときに特異パターンを有する異常性を含む試料である、請求項４に記載の方法。
【請求項６】
前記異常試料は、ＣＬＬ試料、ＡＬＬ試料、ＣＭＬ試料、ＡＭＬ試料、サラセミア試料、および鎌状赤血球発症試料のうちの１つであり得る、請求項５に記載の方法。
【請求項７】
前記細胞分析結果のデータの複数の位置と、前記少なくとも１つのテンプレートの前記データの複数の位置との表示における差異が、血液の異常を示す、請求項１に記載の方法。
【請求項８】
前記細胞分析結果のデータは、白血球、赤血球、および血小板のうちの少なくとも１つを含む、請求項１に記載の方法。
【請求項９】
前記少なくとも１つのテンプレートの前記データは、カスタマイズ可能である、請求項１に記載の方法。
【請求項１０】
細胞分析結果のデータを表示するシステムであって、
命令を格納するためのメモリと、
細胞分析結果のデータにアクセスするために該メモリ内に格納された該命令を実行し、少なくとも１つのテンプレートのデータにアクセスし、該細胞分析結果のデータと該少なくとも１つのテンプレートの該データとを重ねることによって該細胞分析結果のデータと少なくとも１つのテンプレートの該データとを表示するための、プロセッサであって、該細胞分析結果のデータは、該少なくとも１つのテンプレートの表示されるデータと異なる表示属性を使用して表示される、プロセッサと、
を備える、システム。
【請求項１１】
前記表示属性は、色、質感、明るさ、平滑度、および透明度のうちの少なくとも１つである、請求項１０に記載のシステム。
【請求項１２】
前記表示されるデータは、一次元ヒストグラム、二次元ヒストグラム、三次元ヒストグラム、一次元散布図、二次元散布図、三次元散布図、および二次元振幅分布の三次元曲面画像のうちの１つの形式で示される、請求項１０に記載のシステム。
【請求項１３】
前記少なくとも１つのテンプレートの前記データは、正常試料、複数の正常試料の平均、異常試料、および人口統計に基づく試料のうちの１つを表す、請求項１０に記載のシステム。
【請求項１４】
前記異常試料は、該異常試料の前記データが表示されるときに特異パターンを有する異常性を含む試料である、請求項１３に記載のシステム。
【請求項１５】
前記異常試料は、ＣＬＬ試料、ＡＬＬ試料、ＣＭＬ試料、ＡＭＬ試料、サラセミア試料、および鎌状赤血球発症試料のうちの１つであり得る、請求項１４に記載のシステム。
【請求項１６】
前記細胞分析結果のデータの複数の位置と、前記少なくとも１つのテンプレートの前記データの複数の位置との表示における差異が、血液の異常を示す、請求項１０に記載のシステム。
【請求項１７】
前記細胞分析結果のデータは、白血球、赤血球、および血小板のうちの少なくとも１つを含む、請求項１０に記載のシステム。
【請求項１８】
前記少なくとも１つのテンプレートの前記データは、カスタマイズ可能である、請求項１０に記載のシステム。
【請求項１９】
細胞分析結果のデータを表示する方法を実施するために、プロセッサによって実行される命令を含む、コンピュータ可読媒体であって、該方法は、
細胞分析結果のデータにアクセスするステップと、
少なくとも１つのテンプレートのデータにアクセスするステップと、
該細胞分析結果のデータと該少なくとも１つのテンプレートの該データとを重ねることによって、該細胞分析結果のデータと少なくとも１つのテンプレートの該データとを表示するステップであって、該細胞分析結果のデータは、該少なくとも１つのテンプレートの表示されるデータと異なる表示属性を使用して表示される、ステップとを包含する、
コンピュータ可読媒体。
【請求項２０】
前記表示属性は、色、質感、明るさ、平滑度、および透明度のうちの少なくとも１つである、請求項１９に記載のコンピュータ可読媒体。
【請求項２１】
前記表示されるデータは、一次元ヒストグラム、二次元ヒストグラム、三次元ヒストグラム、一次元散布図、二次元散布図、三次元散布図、および二次元振幅分布の三次元曲面画像のうちの１つの形式で示される、請求項１９に記載のコンピュータ可読媒体。
【請求項２２】
前記少なくとも１つのテンプレートの前記データは、正常試料、複数の正常試料の平均、異常試料、および人口統計に基づく試料のうちの１つを表す、請求項１９に記載のコンピュータ可読媒体。
【請求項２３】
前記異常試料は、該異常試料の前記データが表示されるときに特異パターンを有する異常性を含む試料である、請求項２２に記載のコンピュータ可読媒体。
【請求項２４】
前記異常試料は、ＣＬＬ試料、ＡＬＬ試料、ＣＭＬ試料、ＡＭＬ試料、サラセミア試料、および鎌状赤血球発症試料のうちの１つであり得る、請求項２３に記載のコンピュータ可読媒体。
【請求項２５】
前記細胞分析結果のデータの複数の位置と、前記少なくとも１つのテンプレートの前記データの複数の位置との表示における差異が、血液の異常を示す、請求項１９に記載のコンピュータ可読媒体。
【請求項２６】
前記細胞分析結果のデータは、白血球、赤血球、および血小板のうちの少なくとも１つを含む、請求項１９に記載のコンピュータ可読媒体。
【請求項２７】
前記少なくとも１つのテンプレートの前記データは、カスタマイズ可能である、請求項１９に記載のコンピュータ可読媒体。
【発明の詳細な説明】
【技術分野】
【０００１】
本発明は、概して、データを表示するシステムおよび方法に関し、より具体的には、標的試料の細胞分析結果のデータおよびテンプレートデータを、１つの画像に表示するためのシステムおよび方法に関する。
【背景技術】
【０００２】
標的試料の細胞分析器の結果を解析する際には、医師は、その結果と、テンプレートの結果とを比較する必要がある。従来の細胞分析器は、グラフィックな結果の表示を、一次元、二次元、および三次元の表示で提供し、それは標的試料のみを表示する。細胞分析結果を解析する医師は、その画像をテンプレートと比較しながら、グラフィックな結果を確認しなければならない。これらのテンプレート画像は、教科書または別個の画像の中に見られる。あるいは、医師は、テンプレート画像の写真を記憶に留め得る。いずれにしても、医師は、これらの２つの別個の画像を入手し、比較しなければならない。これは、画像が、同一縮尺、同一表示形式、などでない場合があるために、困難であり得る。これは、標的試料データを解析するプロセスを不便な、不正確な、時間を費やす、かつ集中力を要するものとする。
【０００３】
したがって、医師またはユーザが、異常性を識別するために標的試料データを正確かつ効率的に分析することができるような方法で、標的試料の細胞分析結果のデータとテンプレートデータとを１つの画像に表示するために提供される、システムおよび方法の必要性が存在する。
【発明の開示】
【課題を解決するための手段】
【０００４】
本発明の原理に従って、本明細書において具現化され、かつ広範に記載されるように、本発明の原理と一致する方法およびシステムは、細胞分析結果のデータを表示するための方法、システム、およびコンピュータ可読媒体を提供し、それは、細胞分析器の結果のデータにアクセスするステップと、少なくとも１つのテンプレートデータにアクセスするステップと、細胞分析器の結果のデータと少なくとも１つのテンプレートデータとを重ねることによって、細胞分析器の結果のデータと少なくとも１つのテンプレートデータとを表示するステップとを含み、細胞分析器の結果のデータは、少なくとも１つのテンプレートの表示されるデータとは異なる表示属性を使用して表示される。
【発明を実施するための最良の形態】
【０００５】
特許または特許出願のファイルは、少なくとも１つのカラー図面を含む。カラー図面を有する本特許または特許出願公報の複製は、要請および必要料金の支払いに応じて、当該機関によって提供される。
【０００６】
本明細書に組み込まれ、その一部を成す添付の図面は、本発明のいくつかの実施形態を示し、記述とともに本発明の原理を説明する役割を果たし、記述とともに本発明の特徴および局面を説明する。
【０００７】
次に、本発明が詳細に参照され、その実施例が添付の図面に示される。可能な場合には、図面全体を通して同一参照番号が、同一または類似部品を参照するために使用される。
【０００８】
（概要）
本発明の一部の実施形態の原理と一致する方法およびシステムは、ユーザが細胞分析器の試験結果を表す表示されたデータを確認および／または解析できるような、システムを提供する。具体的には、本発明の一部の実施形態に一致する方法およびシステムは、ユーザが、標的試料データにアクセスし、テンプレートデータにアクセスし、１つのディスプレイ上にそのデータを表示することを可能にする。標的試料データおよびテンプレートデータは、同一画像内に重ねられ得る。さらに、ユーザが標的試料データを、テンプレートデータから分離して識別し得るように、ユーザは標的試料データおよびテンプレートデータの異なる表示属性を選択することが可能である。本発明の原理と一致する方法で標的試料データおよびテンプレートデータを表示することによって、ユーザは、標的試料データがテンプレートデータと、どの程度に近似しているかまたは離れているかを確認することが可能になる。さらに、ユーザは、標的試料の異常性を判断することが可能である。
【０００９】
（細胞分析）
本発明は、種々の種類の細胞、細胞成分、体液および／または体液成分を分析するために使用され得る。本発明は、流体成分（血清）および固体成分（種々の種類の細胞）の両方を含む、血液試料を分析する際に特に有用である。特に、本発明は、全血（種々の種類の血液細胞を含有する）または細胞成分の分画のいずれかである血液試料内の、細胞成分を分析することを目的とする。本発明はまた、結合組織から分離された組織試料から得られ、細胞を破壊しない生体適合性液体媒体に懸濁する細胞を、分析するために使用され得る。本発明はまた、体液試料、多血小板血漿試料、測定器制御流体試料、などを分析するために使用され得る。用語「細胞分析器」および「細胞分析」は、少なくとも本明細書に記載される全ての成分を網羅することを意図する。さらに、標的試料のデータについて記述される場合には、本用語は、標的試料の細胞分析結果のデータを含むことを意図する。
【００１０】
（生データの生成）
体液および／または体液の細胞成分は、本発明による分析および表示のためのデータを生成するために、種々の種類の分析技術に供され得る。最も一般的な技術は、細胞サイズの体積を測定する直流（Ｄｉｒｅｃｔ  Ｃｕｒｒｅｎｔ）法、細胞の不透明度を測定する高周波（Ｒａｄｉｏ  Ｆｒｅｑｕｅｎｃｙ）法、蛍光法、および細胞の粒度を測定する光散乱法である。
【００１１】
（標的試料データおよびテンプレートデータ）
標的試料データおよび／またはテンプレートデータは、白血球（ＷＢＣ）、赤血球（ＲＢＣ）、血小板、完全血球算定（ＣＢＣ）による一次元ヒストグラム、二次元および／または三次元のＷＢＣ差分散布図、二次元および／または三次元の網状赤血球差分散布図、二次元または三次元の有核赤血球（ＮＲＢＣ）差分散布図、曲面表示画像のＷＢＣ差分ヒストグラム、曲面表示画像の網状赤血球差分ヒストグラム、曲面表示画像のＮＲＢＣ差分ヒストグラム、などを含む、画像データの形式で示され得る。
【００１２】
（システムアーキテクチャ）
図１は、本発明の原理を実装するためのシステム環境１００の、例示的な概略図である。システム１００の構成要素は、ハードウェア、ソフトウェア、および／またはファームウェアの任意の好適な組み合わせによって実装され得る。図１に示されるように、システム１００は、ユーザコンピュータ１０２を含む。ユーザコンピュータ１０２は、データベース１０４に通信可能に連結され得る。代替案として、データベース１０４は、ネットワーク１０６上に直接に存在し得、またはデータベース１０４のコンテンツは、コンピュータ１０２またはサーバ１０８上に直接に存在し得る。
【００１３】
システム１００は、インターネットとして、あるいは公衆または専用の任意のローカルまたは広域ネットワークとして実装され得る、ネットワーク１０６をさらに含み得る。システム１００は、サーバ１０８をさらに含み得、サーバ１０８は、分析器１１０に通信可能に連結され得る。分析器１１０は、ＬＨ７５０（登録商標）よびＬＨ５００（登録商標）のようなＢｅｃｋｍａｎ  Ｃｏｕｌｔｅｒ血液測定器、などとして実装され得、試験結果のデータを生成する。
【００１４】
コンピュータ１０２、データベース１０４、ネットワーク１０６、サーバ１０８、および分析器１１０は１つのみが描かれているが、２つ以上のこれらの種類の装置が、本発明の一部の実施形態の原理と一致するシステムにおいて実装され得ることが、当業者によって理解される。これらの装置の各々は、システム内の異なる位置に存在し得ることが、さらに理解され得る。例えば、分析器１１０は、コンピュータ１０２に直接に通信可能に連結され得、コンピュータ１０２は、ネットワーク上の操作なしに、分析器１１０から直接にデータを受信し得る。また、本発明の原理に一致する特徴は、独立型ユニットとしてコンピュータ１０２内に単独で実装され得、本発明を実行するために必要とされる全データは、コンピュータ１０２上に直接に存在し得、分析器１１０からの標的試料データは、コンピュータ１０２の外部装置を介してユーザによって入力され得ることが、さらに理解される。
【００１５】
図２は、コンピュータ１０２内に含まれる構成要素の例示的なブロック図を示す。コンピュータ１０２は、パーソナルコンピュータ、ワークステーション、またはパーソナル計算装置のような、任意の種類の計算装置であり得、例えば、メモリ２０２、ネットワークインターフェースアプリケーション２０４、入力／出力装置２０６、中央処理装置２０８、アプリケーションソフトウェア２１０、および二次記憶装置２１２を含み得る。コンピュータ１０２は、データベース１０４、サーバコンピュータ１０８および／または分析器１１０に通信可能に連結され得る。
【００１６】
ユーザは、ネットワークインターフェースアプリケーション２０４、および／またはアプリケーションソフトウェア２１０を使用して、ネットワーク１０６にアクセスし得る。ネットワーク１０６がインターネットとして実装され得る場合には、ネットワークインターフェースアプリケーション２０４は、ＭｉｃｒｏｓｏｆｔまたはＮｅｔｓｃａｐｅから入手可能な従来型のブラウザアプリケーションを含む、従来型のブラウザを含み得る。アプリケーションソフトウェア２１０は、本明細書において記載されるような本発明の特徴を実装するための、プログラミング命令を含み得る。アプリケーションソフトウェア２１０は、標的試料データがテンプレートデータとともに表示されて、ユーザが試験結果のデータを確認および／または解析できるようにするための、プログラミング命令を含み得る。アプリケーションソフトウェア２１０はさらに、Ｎｅｖｒｏｎから入手可能なＮｅｖｒｏｎ  Ｃｈａｒｔ、またはＭａｔｈｗｏｒｋｓから入手可能なＭａｔＬａｂとして実装され得る。入力／出力装置２０６は、例えば、キーボード、マウス、ビデオカム、ディスプレイ、記憶装置、プリンタ、などを含み得る。
【００１７】
図３は、サーバコンピュータ１０８内に含まれる構成要素の例示的なブロック図を示す。サーバコンピュータ１０８は、本発明の一部の実施形態の原理と一致する、メモリ３０２、ネットワークインターフェースアプリケーション３０４、入力／出力装置３０６、中央処理装置３０８、アプリケーションソフトウェア３１０、および二次記憶装置３１２を含み得る。サーバコンピュータ１０８の構成要素は、コンピュータ１０２の構成要素と同様に実装され得る。
【００１８】
（機能性）
図４は、本発明の一部の実施形態と一致する、コンピュータ１０２によって実行されるステップの例示的な流れ図を示す。図４に示されるように、解析のための標的試料データがユーザによって識別されると、コンピュータ１０２は、アプリケーションソフトウェア３１０を介して、標的試料データにアクセスする（ステップ４０２）。標的試料データは、分析器１１０によって実行された細胞の分析結果を表すデータであり得る。このデータは、コンピュータ１０２に、データベース１０２に、またはサーバ１０８に格納され得る。解析のためのテンプレートデータがユーザによって識別されると、コンピュータ１０２は、ソフトウェアアプリケーション３１０を介して、テンプレートデータにアクセスする（ステップ４０４）。テンプレートデータは、標的試料が比較される標準データを表す。テンプレートデータは、例えば、多数の試料の平均、異質のデータが除去された多数の試料の平均、などを表し得る。テンプレートデータは、コンピュータ１０２に、データベース１０２に、またはサーバ１０８に格納され得る。
【００１９】
標的試料およびテンプレートデータがアクセスされると、ソフトウェアアプリケーション３１０は、任意の異質のデータを除去するために、データの事前処理を行うかどうか判断する（ステップ４０６）。例えば、標的試料データが、分析器１１０で、サーバ１０８で、またはコンピュータ１０２で事前処理された場合には、データを事前処理する必要はない。データを事前処理すべきであると判断される場合（ステップ４０６の、「はい」）には、標的試料データおよび／またはテンプレートデータは、データから任意の異質のデータ、ノイズ、などを除去するために、公知の方法、例えば、フィルタリング（線形、非線形、低域通過、中央値）、異常値の除去、などを使用して事前処理される。データが事前処理されると、次いで、プロセスはステップ４１０に進む。データを事前処理すべきではないと判断される場合（ステップ４０６「いいえ」）には、プロセスはステップ４１０に進む。判断はユーザによって行われ得るか、またはアプリケーション内に予めプログラムされ得る。
【００２０】
次いで、システムは、標的試料データおよびテンプレートデータの両方を同一ディスプレイに表示し得（ステップ４１０）、標的試料データおよびテンプレートデータは、２セットのデータが異なる表示属性を使用して表示されるように、表示される。例えば、２セットのデータは、色、質感、明るさ、透明度、平滑度、などによって区別され得る。これらの異なる表示特性は、ユーザによって選択され得、またはソフトウェアアプリケーション３１０によって予め選択され得る。標的試料データおよびテンプレートデータは、一次元ヒストグラム、二次元ヒストグラム、三次元ヒストグラム、一次元散布図、二次元散布図、三次元散布図、二次元振幅分布（ヒストグラム）の三次元曲面表示画像、などとして表示され得る。
【００２１】
（表示）
図５〜図８は、図４に記載されたプロセスの完了後に、ユーザに提供される例示的な表示を示す。図５は、本発明の原理と一致して表示される、ＣＢＣヒストグラムを示す。各ヒストグラムにおいて、標的試料データは実線で示され、テンプレートデータは陰影領域で示される。第１のヒストグラムは、ＷＢＣに関する標的試料データとテンプレートデータとのオーバーレイ表示を表す。第２のヒストグラムは、ＲＢＣに関する標的試料データとテンプレートデータとのオーバーレイ表示を表し、第３のヒストグラムは、血小板（ＰＬＴ）に関する標的試料データとテンプレートデータとのオーバーレイ表示を表す。同一ディスプレイに標的試料データとテンプレートデータとを表示することによって、２セットのデータがどのように互いに関連しているかを確認することが容易となり、したがって、時間が節約され、診断プロセスがスピードアップすることを、当業者は理解し得る。
【００２２】
図６は、本発明の一部の実施形態の原理と一致する、二次元ヒストグラムのオーバーレイの例示的な表示を示す。図６に示されるように、標的試料データは点で示され、テンプレートデータは透明な楕円形として示される。
【００２３】
図７は、三次元ヒストグラムのオーバーレイ表示の例示的な表示を示す。図７に示されるように、標的試料データは点で表示され、テンプレートデータは透明な質感の楕円形で表示される。
【００２４】
図８は、二次元振幅ヒストグラムの三次元曲面によるオーバーレイ表示の例示的な表示を示す。図８に示されるように、標的試料データは、暗い曲面で表示され、テンプレートデータは、透明なより明るい曲面で表示される。
【００２５】
代替案として、本発明の一部の実施形態と一致する原理に従って、異なるデータセットをさらに区別するために、異なる表示属性が実装され得る。例えば、図８において、標的試料データは１つの色で示され得、テンプレートデータは異なる色で示され得る。データセットを区別するために、１つ以上の表示特性が採用され得ることが、さらに理解され得る。例えば、図７において、標的試料は赤色の点で表示され得、テンプレートデータは灰色の楕円形で表示され得る。
【００２６】
（テンプレートデータ）
システム１００の中で使用されるテンプレートデータは、標準テンプレートデータであり得、または医師によってカスタマイズされ得る。テンプレートデータは、正常かつ健全な試料、または異常試料を表し得る。標準テンプレートデータは、数千もの試料を使用して、意図的に選択され処理され得るデータである。さらに、プリセットされたテンプレートを使用することによって、ノイズおよびバイアスが除去され得、最終的に、任意のユーザによって集約または提供されるものよりも一層客観的となり得る。さらに、１つの解析の中の各変数に対する異なるテンプレートデータが存在し得、多変数または多重パラメータ解析を提供する。加えて、標的試料データと比較するためのより多くのデータを提供するために、一次元、二次元、または三次元形式を表す、異なるテンプレートが存在し得る。本発明に従ったテンプレートデータを提供するために、現在の患者試料または標的試料から複数の特異的疾患テンプレートを取得することが可能である。各変数に対して、１つまたは多数のテンプレートのコレクション、またはライブラリが存在し得る。これらのテンプレートのコレクションは、例えば、ソフトウェアアプリケーションに備えられることも、ユーザによって生成されることも、ネットワーク１０６上のサーバで利用可能となることもあり得る。
【００２７】
代替案として、テンプレートは、ユーザによってカスタマイズされ得る。ユーザは、試料を新しいテンプレートとして保存することが可能である。代替案として、ソフトウェアアプリケーションは、新しいテンプレートを生成するために平均化される一群の試料を、ユーザに選択させることが可能である。これらの新しいテンプレートは、例えば、テンプレートのコレクションに追加される、新しいテンプレートのコレクションを生成するために使用される、などされ得る。テンプレートコレクションは、ユーザ間で共有され得る。
【００２８】
本明細書で論じられたように、テンプレートデータを提供することによって、例えば、ディスプレイに現れ得る特別なグラフィックパターンに基づいて標的試料の異常性を識別するために、標的試料がテンプレートと比較され得る。これらの異常性は、慢性リンパ球性白血病（ＣＬＬ）、急性リンパ球性白血病（ＡＬＬ）、慢性骨髄性白血病（ＣＭＬ）、急性骨髄性白血病（ＡＭＬ）、例えば、サラセミア（Ｔｈａｌａｓｓｅｍｉａ）などの、ヘモグロビン異常、鎌状赤血球発症、などを含み得る。
【００２９】
（結論）
本明細書の検討および本明細書に開示された本発明の実践から、本発明の修正および適応が、当業者には明らかとなる。本発明の実装に関する上述の記述は、例示および説明を目的として提示されたものである。それは、包括的ではなく、また本発明を開示されたままの形式に限定するものではない。修正および変形例が、上述の教示に照らして可能であり、または本発明の実践から得られ得る。例えば、記載された実装はソフトウェアを含むが、しかし、本発明に一致するシステムおよび方法は、ハードウェアとソフトウェアとの組み合わせとして、またはハードウェア単独として実装され得る。
【００３０】
加えて、本発明の局面はメモリ内に格納されるように記載されているが、当業者は、これらの局面はまた、例えばハードディスク、フロッピー（登録商標）ディスク、またはＣＤ-ＲＯＭの二次記憶装置、インターネットまたは他の伝搬媒体、あるいは他の形式のＲＡＭまたはＲＯＭのような、他の種類のコンピュータ可読媒体にも格納され得ることを理解する。
【図面の簡単な説明】
【００３１】
【図１】図１は、本発明の一部の実施形態の原理と一致する、システムおよび方法が実装され得るシステム環境の例示的な概略図である。
【図２】図２は、本発明の一部の実施形態の原理と一致する、コンピュータの主要構成要素の例示的な概略図である。
【図３】図３は、本発明の一部の実施形態の原理と一致する、サーバの構成要素の例示的な概略図である。
【図４】図４は、本発明の一部の実施形態の原理と一致する、コンピュータによって実行されるステップの例示的な流れ図を示す。
【図５】図５は、本発明の一部の実施形態の原理と一致する、ユーザに提供される例示的な表示を示す。
【図６】図６は、本発明の一部の実施形態の原理と一致する、ユーザに提供される例示的な表示を示す。
【図７】図７は、本発明の一部の実施形態の原理と一致する、ユーザに提供される例示的な表示を示す。
【図８】図８は、本発明の一部の実施形態の原理と一致する、ユーザに提供される例示的な表示を示す。
【図１】
2009534663.tif 000003
【図２】
2009534663.tif 000004
【図３】
2009534663.tif 000005
【図４】
2009534663.tif 000006
【図５】
2009534663.tif 000007
【図６】
2009534663.tif 000008
【図７】
2009534663.tif 000009
【図８】
2009534663.tif 000010
【国際調査報告】
2009534663.tif 000011